(57)【要約】  パッチパネルは、トレイを引込位置および伸長位置に保持するためにトレイ支持部および特徴部上の引込位置と伸長位置との間で摺動可能なトレイを備え得る。パッチパネルは、カセット支持部上で摺動可能なカセットと、カセットの移動を阻止するためにカセットを係合するラッチと、ラッチを外すための特徴部とをさらに備え得る。
2020526032.tif 000002
【特許請求の範囲】
【請求項１】
相互に垂直である、横方向、横断方向、および縦方向を定めるパッチパネルであって、
前記縦方向に沿って間隔をあけて並ぶ一対のスライドレールを有する第1のトレイ支持部であって、前記第1のトレイ支持部は、前記横断方向に沿って間隔をあけて並び、前記縦方向に沿って前記第1のトレイ支持部のスライドレールの対の間に位置決めされた第1のデテントと第2のデテントとを画成する、第1のトレイ支持部と、
前記縦方向に沿って間隔をあけて並ぶ一対のスライドレールを有する第2のトレイ支持部であって、前記第2のトレイ支持部は前記横断方向に沿って間隔をあけて並び、前記縦方向に沿って前記第2のトレイ支持部のスライドレールの対の間に位置決めされた第1のデテントと第2のデテントとを画成し、前記第2のトレイ支持部は前記横方向に沿って前記第1のトレイ支持部から間隔をあけて並ぶ、第2のトレイ支持部と、
複数のカセット装着ベイを有するトレイであって、前記トレイはデテントフォロワーの第1の対と、デテントフォロワーの第2の対とを有し、デテントフォロワーの前記第1の対の前記デテントフォロワーは、前記横断方向に沿って間隔をあけて並び、前記トレイの第1の側部に位置決めされ、デテントフォロワーの前記第2の対の前記デテントフォロワーは、前記横断方向に沿って間隔をあけて並び、前記トレイの第2の側部に位置決めされる、トレイと、
を備え、
前記トレイが前記第1のトレイ支持部および前記第2のトレイ支持部上の引込位置と伸長位置との間で前記横断方向に沿って摺動可能となるように、前記トレイの前記第1の側部が、前記第1のトレイ支持部のスライドレールの対の間に受け入れ可能であり、前記トレイの前記第2の側部が、前記第2のトレイ支持部のスライドレールの対の間に受け入れ可能であり、
デテントフォロワーの前記第1の対の一方は、前記第1のトレイ支持部の前記第1のデテント内に受け入れられ、デテントフォロワーの前記第2の対の一方は、前記トレイの前記伸長位置にある前記第2のトレイ支持部の前記第1のデテント内に受け入れられ、
デテントフォロワーの前記第1の対の各々は、前記第1のトレイ支持部の前記第1のデテントおよび前記第2のデテントのうちのそれぞれのデテント内に受け入れられ、デテントフォロワーの前記第2の対の各々は、前記トレイの前記引込位置にある前記第2のトレイ支持部の前記第1のデテントおよび前記第2のデテントのうちのそれぞれのデテント内に受け入れられるパッチパネル。
【請求項２】
前記第1のトレイ支持部は、係止タブを有するトレイリリースレバーを備え、前記トレイは前記トレイの前記第1の側部にトレイ係止スロットを画成し、前記トレイリリースレバーの前記係止タブは、前記トレイの前記伸長位置で前記トレイ係止スロット内に受け入れられて、前記トレイリリースレバーの前記係止タブが前記トレイを前記トレイの前記伸長位置に選択的に保持する請求項1に記載のパッチパネル。
【請求項３】
前記トレイリリースレバーは、前記トレイが前記トレイの前記伸長位置と前記引込位置との間でシフトするときに前記縦方向に沿って曲がるように構成される請求項2に記載のパッチパネル。
【請求項４】
デテントフォロワーの前記第1の対および前記第2の対は、前記トレイが前記トレイの前記伸長位置と前記引込位置との間でシフトするときに前記横方向に沿って湾曲するように構成される請求項3に記載のパッチパネル。
【請求項５】
前記トレイリリースレバーは、前記トレイ係止スロットから前記トレイリリースレバーの前記係止タブを持ち上げると、前記トレイを前記トレイの前記伸長位置から前記引込位置に摺動させることができるように作動可能である請求項2に記載のパッチパネル。
【請求項６】
前記第1のトレイ支持部のスライドレールの対の底部スライドレールは、支持面と傾斜面とを画成し、前記傾斜面は横断方向に沿って頂部と底部との間に延在し、前記傾斜面の前記底部は前記支持面に位置決めされ、前記傾斜面の前記頂部は前記トレイリリースレバーの近くに位置決めされて、前記傾斜面が前記支持面から前記トレイリリースレバーの方へ前記縦方向に沿って上方に延在する請求項2に記載のパッチパネル。
【請求項７】
前記傾斜面は、前記横方向に垂直な平面内で前記支持面と角度を成し、前記角度は180度より小さく、175度より大きい請求項6に記載のパッチパネル。
【請求項８】
相互に垂直である、横方向、横断方向、および縦方向を定めるパッチパネルであって、
複数のカセット装着ベイを有するトレイであって、前記トレイは第1のカセット支持部と第2のカセット支持部とを備え、前記第1のカセット支持部および前記第2のカセット支持部は前記横方向に沿って前記複数のカセット装着ベイのうちの1つの対向側に位置決めされ、前記第1のカセット支持部は前記横断方向に沿って前記第1のカセット支持部の対向するそれぞれの端部のところに各々位置決めされている第1のラッチおよび第2のラッチを有する、トレイと、
カセットであって、前記カセットの第1の側部に位置決めされたリリーススライドを有し、前記リリーススライドは前記横断方向に沿って前記リリーススライドの対向するそれぞれの端部のところに各々位置決めされている第1のランプおよび第2のランプを有し、前記リリーススライドはニュートラル位置とリリース位置との間で移動可能である、カセットとを備え、
前記カセットが前記第1のカセット支持部および前記第2のカセット支持部上で前記横断方向に沿って摺動可能となるように、前記カセットの前記第1の側部が、前記第1のカセット支持部によって受け入れ可能であり、前記トレイの第2の側部が、前記第2のカセット支持部によって受け入れ可能であり、
前記第1のラッチおよび前記第2のラッチは、前記カセットが前記複数のカセット装着ベイのうちの１つの中に位置決めされ、前記リリーススライドが前記ニュートラル位置にあるときに前記カセットを係合し、
前記カセットが前記複数のカセット装着ベイのうちの１つの中に位置決めされ、前記リリーススライドが前記リリース位置にあるときに、前記第1のランプが前記カセットから前記第1のラッチを外し、前記第2のランプが前記カセットから前記第2のラッチを外すパッチパネル。
【請求項９】
前記カセットは、前記トレイの前部および後部から前記第1のカセット支持部および前記第2のカセット支持部内に摺動可能である請求項8に記載のパッチパネル。
【請求項１０】
前記リリーススライドは、前記横断方向に沿って第1の端部と第2の端部との間に延在し、前記リリーススライドは前記リリーススライドの前記第1の端部のところに第1のハンドルおよび前記リリーススライドの前記第2の端部のところに第2のハンドルを有し、前記リリーススライドは前記第1のハンドルおよび前記第2のハンドルにより前記ニュートラル位置と前記リリース位置との間で手動でシフト可能である請求項8に記載のパッチパネル。
【請求項１１】
前記第1のカセット支持部および前記第2のカセット支持部は、粘着テープで前記トレイに装着される請求項8に記載のパッチパネル。
【請求項１２】
前記第1のカセット支持部および前記第2のカセット支持部は、ネジを使わずに前記トレイに装着される請求項11に記載のパッチパネル。
【請求項１３】
前記縦方向に沿って間隔をあけて並ぶ一対のスライドレールを有する第1のトレイ支持部であって、前記第1のトレイ支持部は、前記横断方向に沿って間隔をあけて並び、前記縦方向に沿って前記第1のトレイ支持部のスライドレールの対の間に位置決めされた第1のデテントと第2のデテントとを画成する、第1のトレイ支持部と、
前記縦方向に沿って間隔をあけて並ぶ一対のスライドレールを有する第2のトレイ支持部であって、前記第2のトレイ支持部は前記横断方向に沿って間隔をあけて並び、前記縦方向に沿って前記第2のトレイ支持部のスライドレールの対の間に位置決めされた第1のデテントと第2のデテントとを画成し、前記第2のトレイ支持部は前記横方向に沿って前記第1のトレイ支持部から間隔をあけて並ぶ、第2のトレイ支持部と、
をさらに備え、
前記トレイは、デテントフォロワーの第1の対と、デテントフォロワーの第2の対とを有し、デテントフォロワーの前記第1の対の前記デテントフォロワーは、前記横断方向に沿って間隔をあけて並び、前記トレイの第1の側部に位置決めされ、デテントフォロワーの前記第2の対の前記デテントフォロワーは、前記横断方向に沿って間隔をあけて並び、前記トレイの第2の側部に位置決めされ、
前記トレイが前記第1のトレイ支持部および前記第2のトレイ支持部上の引込位置と伸長位置との間で前記横断方向に沿って摺動可能となるように、前記トレイの前記第1の側部が、前記第1のトレイ支持部のスライドレールの対の間に受け入れ可能であり、前記トレイの前記第2の側部が、前記第2のトレイ支持部のスライドレールの対の間に受け入れ可能であり、
デテントフォロワーの前記第1の対の一方は、前記第1のトレイ支持部の前記第1のデテント内に受け入れられ、デテントフォロワーの前記第2の対の一方は、前記トレイの前記伸長位置にある前記第2のトレイ支持部の前記第1のデテント内に受け入れられ、
デテントフォロワーの前記第1の対の各々は、前記第1のトレイ支持部の前記第1のデテントおよび前記第2のデテントのうちのそれぞれのデテント内に受け入れられ、デテントフォロワーの前記第2の対の各々は、前記トレイの前記引込位置にある前記第2のトレイ支持部の前記第1のデテントおよび前記第2のデテントのうちのそれぞれのデテント内に受け入れられる請求項8に記載のパッチパネル。
【請求項１４】
前記第1のトレイ支持部は、係止タブを有するトレイリリースレバーを備え、前記トレイは前記トレイの前記第1の側部にトレイ係止スロットを画成し、前記トレイリリースレバーの前記係止タブは、前記トレイの前記伸長位置で前記トレイ係止スロット内に受け入れられて、前記トレイリリースレバーの前記係止タブが前記トレイを前記トレイの前記伸長位置に選択的に保持する請求項13に記載のパッチパネル。
【請求項１５】
前記第1のトレイ支持部のスライドレールの対の底部スライドレールは、支持面と傾斜面とを画成し、前記傾斜面は前記横断方向に沿って頂部と底部との間に延在し、前記傾斜面の前記底部は前記支持面に位置決めされ、前記傾斜面の前記頂部は前記トレイリリースレバーの近くに位置決めされて、前記傾斜面が前記支持面から前記トレイリリースレバーの方へ前記縦方向に沿って上方に延在する請求項14に記載のパッチパネル。
【請求項１６】
相互に垂直である、横方向、横断方向、および縦方向を定めるパッチパネルであって、
複数のカセット装着ベイを有するトレイであって、前記トレイは第1のカセット支持部と第2のカセット支持部とを備え、前記第1のカセット支持部および前記第2のカセット支持部は前記横方向に沿って前記複数のカセット装着ベイのうちの1つの対向側に位置決めされ、前記第1のカセット支持部は、前記横断方向に沿って前記第1のカセット支持部の対向するそれぞれの端部のところに各々位置決めされている第1のラッチおよび第2のラッチを有する、トレイと、
前記横方向に沿って第1の側部と第2の側部との間に延在するカセットであって、前記カセットが前記第1のカセット支持部および前記第2のカセット支持部上で前記横断方向に沿って摺動可能となるように、前記カセットの前記第1の側部が、前記第1のカセット支持部によって受け入れ可能であり、前記トレイの前記第2の側部が、前記第2のカセット支持部によって受け入れ可能である、カセットと、
を備え、
前記第1のラッチおよび前記第2のラッチは、前記カセットが前記複数のカセット装着ベイのうちの１つの中に位置決めされたときに前記第1のラッチおよび前記第2のラッチが前記横断方向に沿った前記カセットの移動を阻止するように前記カセットを係合する構成とされ、
前記カセットは、前記カセットが前記トレイの前部と後部の両方で前記複数のカセット装着ベイのうちの１つから摺動可能となるように前記カセットが前記複数のカセット装着ベイのうちの１つの中に位置決めされたときに、前記カセットから前記第1のラッチおよび前記第2のラッチを同時に外すための手段を備えるパッチパネル。
【請求項１７】
垂直である横方向および横断方向を定めるカセットであって、
前記横方向に沿って第1の側部と第2の側部との間に、および前記横断方向に沿って前部と後部との間に延在するカセット本体部であって、前記カセット本体部は前記カセット本体部の前記第1の側部にリリーススライドスロットを画成し、前記リリーススライドスロットは前記横断方向に沿って前記カセット本体部の前記前部と前記後部との間に縦方向に延在する、カセット本体部と、
前記カセット本体部の前記第1の側部のところで前記リリーススライドスロット内に位置決めされるリリーススライドであって、前記リリーススライドは前記リリーススライドスロット内で前記横断方向に沿ってニュートラル位置とリリース位置との間で移動可能であり、前記リリーススライドは前記横断方向に沿って第1の端部と第2の端部との間に延在し、前記リリーススライドは第1のランプと第2のランプとを有し、前記第1のランプは前記リリーススライドの前記第1の端部の近くに位置決めされ、前記第2のランプは前記リリーススライドの前記第2の端部の近くに位置決めされるリリーススライドと、
を備えるカセット。
【請求項１８】
前記カセット本体部は、前記カセット本体部の前記第1の側部に第1のランプスロットと第2のランプスロットとをさらに画成し、前記第1のランプスロットは前記カセット本体部の前記前部に位置決めされ、前記第2のランプスロットは前記カセット本体部の前記後部に位置決めされ、前記第1のランプは前記リリーススライドが前記リリース位置にあるときに前記第1のランプスロット内に受け入れられ、前記第2のランプは前記リリーススライドが前記リリース位置にあるときに前記第2のランプスロット内に受け入れられる請求項17に記載のカセット。
【請求項１９】
前記第1のランプおよび前記第2のランプの各々は傾斜面を有し、前記第1のランプの前記傾斜面は前記横断方向に沿って前記第2のランプの前記傾斜面に向かい合う請求項17に記載のカセット。
【請求項２０】
前記リリーススライドは、前記リリーススライドの前記第1の端部のところに第1のハンドルおよび前記リリーススライドの前記第2の端部のところに第2のハンドルを有し、前記リリーススライドは前記第1のハンドルおよび前記第2のハンドルにより前記ニュートラル位置と前記リリース位置との間で手動でシフト可能である請求項17に記載のカセット。
【発明の詳細な説明】
【技術分野】
【０００１】
〔関連出願の相互参照〕
本出願は、あらゆる目的のために参照により全体が組み込まれている、2018年5月4日に出願したVogelの米国特許出願第15/971,477号、名称「A High Density Patch Panel with Modular Cassettes」に関し、その優先権を有する。本出願は、あらゆる目的のために参照により全体が組み込まれている、2017年6月28日に出願したVogelの米国仮特許出願第62/525,791号、名称「A High Density Enclosure with Modular Cassettes」にも関し、その優先権を有する。本出願は、あらゆる目的のために参照により全体が組み込まれている、2017年11月27日に出願したVogelの米国仮特許出願第62/590,823号、名称「A High Density Enclosure with Modular Cassettes」にも関し、その優先権を有する。
【０００２】
本発明の主題は、一般的に、事前終端カセットモジュールのための高密度光ファイバパッチパネルまたはエンクロージャに関する。
【背景技術】
【０００３】
大規模データセンターは、クロスコネクトアプリケーション用に何列ものラックおよび/またはキャビネットを配備することが頻繁にある。高密度光ファイバパッチパネルの設置は、ラックマウントエンクロージャ内に設置された事前終端カセットモジュールを利用することによって簡素化され、信頼性が高められている。これらの事前終端カセットは、フィールド終端および研磨の必要性をなくすことに関して多くの設置上の問題に対処しているが、別の問題を持ち込むこととなった。特に、エンクロージャの後側からの設置/保守を必要とするいくつかのアプリケーションおよび前側からの設置/保守が適する他のアプリケーションがある。市場に出ている多くのエンクロージャは、前側または後側のいずれかの設置/保守のみを許し、前側および後側からのアクセスを可能にするいくつかの解決手段が市場に出回っているが、カセットモジュールの取り外しは、狭い場所で両手を使って操作する必要があり、面倒な場合がある。
【０００４】
それに加えて、空間制約(特に、1RUエンクロージャバージョンにおける)は、従来から、カセットレールを取り付けるために平頭ネジと皿穴とを使用する必要があり、これが重量と組み立て時間を増やしていた。
【発明の概要】
【発明が解決しようとする課題】
【０００５】
本発明の主題は、パッチパネルを提供するものである。パッチパネルは、トレイを引込位置および伸長位置に保持するためにトレイ支持部および特徴部上の引込位置と伸長位置との間で摺動可能なトレイを備え得る。パッチパネルは、カセット支持部上で摺動可能なカセットと、カセットの移動を阻止するためにカセットを係合するラッチと、ラッチを外すための特徴部とをさらに備え得る。本発明の追加の態様および利点は、一部は次の説明において述べられるか、または説明から明白であり得るか、または本発明の実施を通じて知り得る。
【課題を解決するための手段】
【０００６】
第1の例示的な実施形態において、パッチパネルは横方向、横断方向、および縦方向を定め、これらは相互に垂直であり、パッチパネルは、第1のトレイ支持部と、第2のトレイ支持部とを備える。第1のトレイ支持部は、縦方向に沿って間隔をあけて並ぶ一対のスライドレールを有する。第1のトレイ支持部は、横断方向に沿って間隔をあけて並び、縦方向に沿って第1のトレイ支持部のスライドレールの対の間に位置決めされた第1のデテントと第2のデテントとを画成する。第2のトレイ支持部は、縦方向に沿って間隔をあけて並ぶ一対のスライドレールを有する。第2のトレイ支持部は、横断方向に沿って間隔をあけて並び、縦方向に沿って第2のトレイ支持部のスライドレールの対の間に位置決めされた第1のデテントと第2のデテントとを画成する。第2のトレイ支持部は、横方向に沿って第1のトレイ支持部から間隔をあけて並ぶ。トレイは、複数のカセット装着ベイを有する。トレイは、デテントフォロワー(detent follower)の第1の対と、デテントフォロワーの第2の対とを有する。デテントフォロワーの第1の対のデテントフォロワーは、横断方向に沿って間隔をあけて並び、トレイの第1の側部に位置決めされる。デテントフォロワーの第2の対のデテントフォロワーは、横断方向に沿って間隔をあけて並び、トレイの第2の側部に位置決めされる。トレイが第1のトレイ支持部および第2のトレイ支持部上の引込位置と伸長位置との間で横断方向に沿って摺動可能となるように、トレイの第1の側部は、第1のトレイ支持部のスライドレールの対の間に受け入れ可能であり、トレイの第2の側部は、第2のトレイ支持部のスライドレールの対の間に受け入れ可能である。デテントフォロワーの第1の対の一方は、第1のトレイ支持部の第1のデテント内に受け入れられ、デテントフォロワーの第2の対の一方は、トレイの伸長位置にある第2のトレイ支持部の第1のデテント内に受け入れられる。デテントフォロワーの第1の対の各々は、第1のトレイ支持部の第1のデテントおよび第2のデテントのうちのそれぞれのデテント内に受け入れられ、デテントフォロワーの第2の対の各々は、トレイの引込位置にある第2のトレイ支持部の第1のデテントおよび第2のデテントのうちのそれぞれのデテント内に受け入れられる。
【０００７】
第2の例示的な実施形態において、パッチパネルは横方向、横断方向、および縦方向を定め、これらは相互に垂直である。パッチパネルは、複数のカセット装着ベイを有するトレイを備える。トレイは、第1のカセット支持部と第2のカセット支持部とを備える。第1のカセット支持部および第2のカセット支持部は、横方向に沿って複数のカセット装着ベイのうちの1つの対向側に位置決めされる。第1のカセット支持部は、横断方向に沿って第1のカセット支持部の対向するそれぞれの端部のところに各々位置決めされている第1のラッチおよび第2のラッチを有する。カセットは、カセットの第1の側部のところに位置決めされたリリーススライドを有する。リリーススライドは、横断方向に沿ってリリーススライドの対向するそれぞれの端部のところに各々位置決めされている第1のランプおよび第2のランプを有する。リリーススライドは、ニュートラル位置とリリース位置との間で移動可能である。カセットが第1のカセット支持部および第2のカセット支持部上で横断方向に沿って摺動可能となるように、カセットの第1の側部は、第1のカセット支持部によって受け入れ可能であり、トレイの第2の側部は、第2のカセット支持部によって受け入れ可能である。第1のラッチおよび第2のラッチは、カセットが複数のカセット装着ベイのうちの1つの中に位置決めされ、リリーススライドがニュートラル位置にあるときにカセットを係合する。カセットが複数のカセット装着ベイのうちの1つの中に位置決めされ、リリーススライドがリリース位置にあるときに、第1のランプがカセットから第1のラッチを外し、第2のランプがカセットから第2のラッチを外す。
【０００８】
第3の例示的な実施形態において、パッチパネルは横方向、横断方向、および縦方向を定め、これらは相互に垂直である。パッチパネルは、複数のカセット装着ベイを有するトレイを備える。トレイは、第1のカセット支持部と第2のカセット支持部とを備える。第1のカセット支持部および第2のカセット支持部は、横方向に沿って複数のカセット装着ベイのうちの1つの対向側に位置決めされる。第1のカセット支持部は、横断方向に沿って第1のカセット支持部の対向するそれぞれの端部のところに各々位置決めされている第1のラッチおよび第2のラッチを有する。横方向に沿って第1の側部と第2の側部との間にカセットが延在する。カセットが第1のカセット支持部および第2のカセット支持部上で横断方向に沿って摺動可能となるように、カセットの第1の側部は、第1のカセット支持部によって受け入れ可能であり、トレイの第2の側部は、第2のカセット支持部によって受け入れ可能である。第1のラッチおよび第2のラッチは、カセットが複数のカセット装着ベイのうちの1つの中に位置決めされたときに第1のラッチおよび第2のラッチが横断方向に沿ったカセットの移動を阻止するようにカセットを係合する構成とされる。カセットは、カセットがトレイの前部と後部の両方で複数のカセット装着ベイのうちの1つから摺動可能となるようにカセットが複数のカセット装着ベイのうちの1つの中に位置決めされたときにカセットから第1のラッチおよび第2のラッチを同時に外すための手段を備える。
【０００９】
第4の例示的な実施形態において、カセットは、垂直である横方向および横断方向を定める。カセットは、横方向に沿って第1の側部と第2の側部との間に、および横断方向に沿って前部と後部との間に延在するカセット本体部を備える。カセット本体部は、カセット本体部の第1の側部にリリーススライドスロットを画成する。リリーススライドスロットは、横断方向に沿ってカセット本体部の前部と後部との間に縦方向に延在する。リリーススライドは、カセット本体部の第1の側部のところでリリーススライドスロット内に位置決めされる。リリーススライドは、リリーススライドスロット内で横断方向に沿ってニュートラル位置とリリース位置との間で移動可能である。リリーススライドは、横断方向に沿って第1の端部と第2の端部との間に延在する。リリーススライドは、第1のランプと第2のランプとを有する。第1のランプは、リリーススライドの第1の端部の近くに位置決めされ、第2のランプは、リリーススライドの第2の端部の近くに位置決めされる。
【００１０】
本発明のこれらおよび他の特徴、態様、および利点は、次の説明および付属の請求項を参照することでより理解が深まる。本明細書に組み込まれ、本明細書の一部を成す、添付図面は、本発明の実施形態を例示しており、また説明と併せて、本発明の原理を説明するのに役立つ。
【００１１】
当業者を対象とする、最良の態様を含む、本発明の完全で、有用な開示は、添付図を参照する、明細書において述べられている。
【図面の簡単な説明】
【００１２】
【図１】本発明の主題の例示的な一実施形態によるパッチパネルの斜視図である。
【図２】図1の例示的なパッチパネルのトレイ支持部の斜視図である。
【図３】図1の例示的なパッチパネルのトレイの斜視図である。
【図４】図2のトレイ支持部および図3のトレイの斜視図であり、トレイは引込位置にあるように示されている。
【図５】図2のトレイ支持部および図3のトレイの斜視図であり、トレイは伸長位置にあるように示されている。
【図６】図5のトレイ支持部およびトレイの他の斜視図である。
【図７】図5のトレイ支持部およびトレイの他の斜視図である。
【図８】図1の例示的なパッチパネルのカセットの斜視図であり、リリーススライドはニュートラル位置にあるように示されている。
【図９】図8のカセットの斜視図であり、リリーススライドはリリース位置にあるように示されている。
【図１０】図8のカセットの部分分解図である。
【図１１】図1の例示的なパッチパネルのカセット支持部の斜視図である。
【図１２】図8のカセットおよび図11のカセット支持部の斜視図である。
【図１３】図12のカセットおよびカセット支持部の断面図である。
【図１４】図2のトレイ支持部の部分正面図である。
【図１５】図3のトレイのスライドの側面図である。
【図１６】図3のトレイの上部平面図である。
【発明を実施するための形態】
【００１３】
次に、1つまたは複数の例が図面に示されている、本発明の実施形態の詳細が参照される。各例は、本発明の説明のために、ただし本発明を限定することなく、提供される。実際、様々な修正および変更が本発明の範囲または精神から逸脱することなく本発明において行われ得ることは当業者には明らかであろう。たとえば、一実施形態の一部として例示されるか、または説明されている特徴は、別の実施形態でも使用して、さらなる実施形態を生み出すことができる。したがって、本発明は、付属の請求項およびその同等の項目の範囲内にあるような修正形態および変更形態を含むことが意図されている。
【００１４】
図1は、本発明の主題の例示的な一実施形態によるパッチパネル100の斜視図である。当業者であれば、パッチパネル100を「パッチエンクロージャ」とも称し得る。図1を見るとわかるように、パッチパネル100は、エンクロージャ110と、一対のトレイ支持部120と、複数のトレイ130と、複数のカセット支持部140と、複数のカセット150とを備える。パッチパネル100は、一般的に、「ラックマウント高密度接続性プラットフォーム」と称されてよい。カセット150は、モジュール式であり、パッチ、パッチ&スプライス、波長分割多重(WDM)、およびスプリッタアプリケーションに適するものであってよい。したがって、たとえば、各カセット150は、カセット150の前部および後部にコネクタ(LCコネクタ、MPOコネクタなど)を備えるものとしてよく、カセット150内のファイバは、カセット150の前部および後部のところの様々なコネクタの間に延在し得る。以下でより詳しく説明されるように、パッチパネル100は、トレイ支持部120上のトレイ130の移動を調節するための特徴部および/またはカセット支持部140上のカセット150の移動を調節するための特徴部を備える。そのような特徴部は、カセット150へのアクセスを円滑にし、それによってユーザが光ファイバをカセット150に接続するのを助け得る。カセット150は、カセット150の前部および後部にポートを備え、カセット150内の光ファイバは、カセット150の前部および後部のところでポートを接続する。
【００１５】
パッチパネル100は、縦方向V、横方向L、および横断方向Tを定める。縦方向V、横方向L、および横断方向Tは、相互に垂直であり、直交方向系を形成する。トレイ130は、トレイ130が横断方向Tに沿ってトレイ支持部120に関して摺動可能となるようにエンクロージャ110内でトレイ支持部120上に装着され得る。同様に、カセット150は、カセット150が横断方向Tに沿ってカセット支持部140および/またはトレイ130に関して摺動可能となるようにエンクロージャ110内でカセット支持部140上に装着され得る。
【００１６】
図2は、トレイ支持部120のうちの1つの斜視図であり、図3は、トレイ130のうちの1つの斜視図である。図2においては、トレイ支持部120のうちの1つのみが図示されている。パッチパネル100は、横方向Lに沿ってエンクロージャ110の対向側に別のトレイ支持部も備えるものとしてよく、他のトレイ支持部は、図2に示されているトレイ支持部120と同じまたは類似の仕方で形成され得ることは理解されるであろう。そこで、パッチパネル100は、横方向Lに沿ってエンクロージャ110の対向側に2つのトレイ支持部120を備えるものとしてよい。トレイ支持部120は、また、縦方向Vに沿って積み重ねられ、それにより2RUパネル/エンクロージャ、3RUパネル/エンクロージャなどを形成し得る。トレイ支持部120は、接着剤、テープ、および/または締め具でエンクロージャ110に装着され得る。特に、トレイ支持部120のトレイ支持基部128は、接着剤、テープ、および/または締め具によりエンクロージャ110に取り付けられ得る。
【００１７】
トレイ支持部120は一対のスライドレール122を有する。スライドレール122は、スライドレール122がトレイ支持基部128から、たとえば、横方向Lに沿って延在するようにトレイ支持基部128に装着されるか、またはトレイ支持基部128とともに形成され得る。スライドレール122は、縦方向Vに沿って相隔てて並ぶ。特に、スライドレール122は、トレイ130がスライドレール122の間で摺動可能となるように縦方向Vに沿って間隔をあけて並ぶものとしてよい。そこで、スライドレール122は、トレイ130がトレイ支持部120上でエンクロージャ110に関して移動可能となるようにトレイ130を支持し得る。図2に示されているように、トレイ支持部120は、複数のトレイ130がトレイ支持部120に装着され得るように複数の対のスライドレール122を備え得る。したがって、以下では単一の対のスライドレール122および1つのトレイ130の文脈においてより詳しく説明されるが、例示的な実施形態において複数のトレイ130がトレイ支持部120に装着されてよい。
【００１８】
トレイ支持部120は、また、第1のデテント124と第2のデテント126とを画成する。第1のデテント124および第2のデテント126は、第1のデテント124および第2のデテント126が、たとえば、横方向Lに沿って、トレイ支持基部128内に貫入するか、または貫通するようにトレイ支持基部128内に形成され得る。第1のデテント124および第2のデテント126は、たとえば、横断方向Tに沿って、相隔てて並ぶ。それに加えて、第1のデテント124および第2のデテント126は、スライドレール122の間に、たとえば、縦方向Vに沿って、位置決めされ得る。
【００１９】
次に図3を参照すると、トレイ130は、一対のデテントフォロワー134とともにスライド132を備える。トレイ130の片側のみが図3に示されている。トレイ130は、横方向Lに沿ってトレイ130の対向側に別のスライドも備えるものとしてよく、他のスライドは、図3に示されているスライド132と同じまたは類似の仕方で形成され得ることは理解されるであろう。そこで、トレイ130は、横方向Lに沿ってトレイ130の対向側に2つのスライド132を備えるものとしてよい。特に、トレイ130は、横方向Lに沿って第1の側部137と第2の側部139との間に延在し得る。スライド132の一方がトレイ本体部131の第1の側部137のところでトレイ本体部131に装着され得、スライド132の他方がトレイ本体部131の第2の側部139のところでトレイ本体部131に装着され得る。スライド132は、トレイ本体部131とともに形成される装着タブ133ならびに/またはトレイ本体部131およびスライド132を貫通する締め具135でトレイ本体部131に装着され得る。
【００２０】
上で指摘されているように、スライドレール122は、トレイ130がスライドレール122の間で摺動可能となるように縦方向Vに沿って間隔をあけて並ぶものとしてよい。特に、トレイ130のスライド132は、トレイ130をトレイ支持部120に摺動可能に装着するためにトレイ支持部120のスライドレール122の間に位置決めされ得る。デテントフォロワー134は、第1のデテント124および第2のデテント126と係合してトレイ130を伸長位置(図5、図6、および図7)または引込位置(図4)のいずれかに保持することができる。特に、デテントフォロワー134のうちの1つは、トレイ130が伸長位置にあるときにトレイ支持部120の第1のデテント124内に受け入れられる。トレイ130が伸長位置にあるときに、デテントフォロワー134の他方は、トレイ支持部120の第2のデテント126内に受け入れられず、トレイ支持部120のスライドレール122の間から取り外され得る。対照的に、デテントフォロワー134の各々は、トレイ130が引込位置にあるときに第1のデテント124および第2のデテント126のうちのそれぞれの1つの中に受け入れられる。
【００２１】
デテントフォロワー134は、固定梁または片持ち梁上に形成されるものとしてよく、梁の弾性変形が、横方向Lに沿ってデテントフォロワー134が平行移動することを可能にする。デテントフォロワー134のそのような運動は、ユーザがトレイ130をトレイ支持部120に関して摺動させたときにデテントフォロワー134が第1のデテント124および第2のデテント126内に貫入し、そこから引っ込むことを可能にする。特に、デテントフォロワー134は、トレイ130が伸長位置と引込位置との間にシフトするときに横方向Lに沿って湾曲し得る。トレイ130を引込位置または伸長位置のいずれかに保持することに加えて、デテントフォロワー134は、第1のデテント124および第2のデテント126と一緒になって、トレイ支持部120上のトレイ130の位置に関してユーザに触覚フィードバックを提供し得る。特に、ユーザは、ユーザがトレイ130を引込位置に合わせて調整するときにデテントフォロワー134が第1のデテント124および第2のデテント126にいつ入るかを感じ取ることができ、ユーザは、ユーザがトレイ130を引込位置から調整するときにデテントフォロワー134が第1のデテント124および第2のデテント126からいつ出るかを感じ取り得る。そのような触覚フィードバックは、トレイ130を押すまたは引くのをいつ止めるべきかをユーザに知らせることができる。
【００２２】
上記の説明からわかるように、トレイ支持部120はトレイ130と連携し、トレイ支持部120に関して横断方向Tに沿ってトレイ130の摺動を可能にし得る。一般に、スライドトレイ機構は、次のように機能する。トレイ130は、エンクロージャ110の内側に装着されているスライドレール122内でトレイ130が摺動することを可能にするスライド132を取り付けてある。スライドレール122は、2つのデテントを含む。ホーム位置または引込位置において、両方のデテントが係合し、前デテントのみが伸長位置で利用される。トレイ130が引込位置から前方に引っ張られると、デテントフォロワーが内向きに屈曲し、後デテントフォロワーが伸長位置にある前デテントと整列し、適所に係止するまであるレベルの抵抗を余裕をもって受ける。
【００２３】
パッチパネル100は、トレイ支持部120からトレイ130が過剰に伸長するのを防ぐか、または回避するための特徴部も備える。図2に示されているように、トレイ支持部120は、係止タブ127を有するトレイリリースレバー125を備える。トレイリリースレバー125は、トレイ支持基部128に装着されるか、またはトレイ支持基部128とともに形成され得る。特に、トレイリリースレバー125は、トレイ支持基部128から横断方向Tに沿って延在するものとしてよく、および/またはトレイリリースレバー125の遠位端がトレイ支持基部128に関して縦方向Vに沿って移動し得るようにトレイ支持基部128から片持ち梁で支えられ得る。そこで、トレイリリースレバー125は、トレイ130が伸長位置と引込位置との間でシフトするときに縦方向Vに沿って曲がり得る。特に、トレイリリースレバー125は、トレイリリースレバー125(たとえば、係止タブ127)がスライド132の前部で伸長位置ランプ171に沿って摺動するときに縦方向Vに沿って上向きに自動的に曲がるものとしてよい。トレイリリースレバー125は、トレイ130の伸長位置でトレイ130と係合し、トレイ130がトレイ支持部120から過剰に伸長するのを防ぐ。特に、トレイ130(たとえば、トレイ130のスライド132)は、トレイ係止スロット138を画成する。トレイリリースレバー125の係止タブ127は、トレイ130が伸長位置にあるときにトレイ係止スロット138内に受け入れられる。そこで、トレイリリースレバー125の係止タブ127はトレイ130を伸長位置に選択的に保持する。
【００２４】
トレイリリースレバー125は、トレイ130がうっかり取り外される、または伸長位置を越えて引っ張られることがないようにし得る。一般に、トレイ130上のトレイ係止スロット138およびトレイリリースレバー125上の係止タブ127は、トレイ130がうっかり取り外される、または伸長位置を越えて引っ張られるのを防ぐために連動し、協調して動作する。これは、係止タブ127がトレイ係止スロット138と整列し適所に落ちトレイ130を伸長位置に係止するまでトレイ130が引込位置から前方に引っ張られるとトレイ130のスライド132がトレイリリースレバー125を自動的に持ち上げたときに達成される。トレイ取り外しが望ましい場合、トレイリリースレバー125は、係止タブ127をトレイ係止スロット138からリリースするために手動で持ち上げられ得る。伸長位置にある間、トレイ130は、前側パッチコードを移動し、追加し、および/またはそれらとともに変化するか、またはカセット150を取り外すためのアクセスを行える。
【００２５】
図15に示されているように、トレイ係止スロット138は、たとえばトレイ係止スロット138の後部のところに傾斜面139を備えるものとしてよい。トレイリリースレバー125は、トレイリリースレバー125(たとえば、係止タブ127)がトレイ係止スロット138の傾斜面139に沿って摺動するときに縦方向Vに沿って上向きに自動的に曲がるものとしてよい。そこで、トレイ130のスライド132は、トレイ130が伸長位置から引込位置へ押されて後退するときにトレイリリースレバー125をトレイ係止スロット138から自動的に持ち上げるものとしてよい。代替的な例示的実施形態において、伸長位置で係止された後、トレイリリースレバー125は手動で持ち上げられ、トレイ130が摺動して引込位置に後退することを可能にし得る。
【００２６】
図14を見るとわかるように、スライドレール122の底部スライドレール121は、支持面170および傾斜面172を画成する。傾斜面172は、横断方向Tに沿って頂部174と底部176との間に延在する。傾斜面172の頂部174は、縦方向Vに沿って傾斜面172の底部176より上または高いところにも位置決めされる。そこで、傾斜面172の頂部174および底部176は、縦方向Vおよび横断方向Tに沿って相隔てて並ぶ。傾斜面172の底部176は支持面170に位置決めされ、傾斜面172の頂部174はトレイリリースレバー125の近くに位置決めされる。そこで、傾斜面172は、縦方向Vに沿って上方に支持面170からトレイリリースレバー125の方へ延在する。
【００２７】
トレイ130のスライド132は、トレイ130が引込位置にあるときに底部スライドレール121上に静止し、トレイ130のスライド132は、ユーザがトレイ130を引込位置から伸長位置の方へ調整するときに底部スライドレール121上で摺動する。支持面170は、一般的に、平坦であり、水平方向に向けられ得る。そこで、トレイ130が支持面170上に静止するか、または摺動するときに、トレイ130は水平に摺動し得る。対照的に、トレイ130は、トレイ130が傾斜面172上で摺動したときに縦方向Vに沿って上方に移動し得る。トレイ130を縦方向Vに沿って上方に付勢することによって、傾斜面172は、トレイ130上のトレイ係止スロット138とトレイリリースレバー125上の係止タブ127との係合を円滑にし得る。特に、トレイ130が伸長位置にあるときに、トレイ130の遠位端は、縦方向Vに沿って下方に湾曲または枢動し得る程度は、底部スライドレール121が水平の支持面170のみを備えるときに比べて小さい。
【００２８】
傾斜面172の位置および/または角度は、トレイリリースレバー125とスライド122との係合を、たとえば、トレイ支持部120上のトレイ130の摺動に干渉しない間に、円滑にするように選択され得る。たとえば、傾斜面172の頂部174とスライドレール122のうちの一番上のレールとの間の間隔は、傾斜面172の底部176とスライドレール122のうちの一番上のレールとの間の間隔より小さいものとしてよい。より具体的な例として、傾斜面172は、支持面170と、たとえば、横方向Lに垂直な平面内で、角度αを定め得る。角度αは、180度より小さく、175度より大きいものとしてよい。別の例として、傾斜面172の頂部174は、縦方向Vに沿って傾斜面172の底部176から、1マイクロメートル以上、1ミリメートル以下の間隔をあけて並ぶものとしてよい。傾斜面172の頂部174と底部176との間の横断方向Tに沿った傾斜面172の長さは、いくつかの例示的な実施形態において、5ミリメートル以上、50ミリメートル以下であってよい。
【００２９】
図8は、カセット150のうちの1つの斜視図であり、図11は、カセット支持部140のうちの1つの斜視図である。図11において、カセット支持部140のうちの1つのみが図示されている。パッチパネル100は、トレイ130上の様々な配置に複数の追加のカセット支持部も備えるものとしてよく、他のカセット支持部は、図11に示されているカセット支持部140と同じまたは類似の仕方で形成され得ることは理解されるであろう。図1に示されているように、トレイ130は、複数のカセット装着ベイ160を備え、カセット支持部140はカセット装着ベイ160のところでトレイ130上に装着され、これにより、カセット装着ベイ160内にカセット150の装着構造を設ける。そこで、パッチパネル100は、横方向Lに沿って各カセット装着ベイ160の対向側にカセット支持部140を備えるものとしてよい。カセット支持部140は、熱かしめ、超音波溶接、接着剤、テープ、および/または締め具でトレイ130に装着され得る。いくつかの例示的な実施形態では、カセット支持部140は、ネジなどの締め具なしでトレイ130に装着され得る。各カセット150の一方の横側は、以下でより詳しく説明されるようにラッチによりそれぞれのカセット支持部140に装着されるものとしてよく、各カセット150の対向する横側は、たとえば、それぞれのカセット支持部140上のスロット内に受け入れられているカセット150上のスライドレールによって、またはそれぞれのカセット支持部140上のスライドレールの間でカセット150を摺動させることによって、それぞれのカセット支持部140に摺動可能に装着され得る。
【００３０】
再び図11を参照すると、カセット支持部140は、一対のスライドレール141を備え得る。スライドレール141は、縦方向Vに沿って相隔てて並ぶ。特に、スライドレール141は、カセット150がスライドレール141の間で摺動可能となるように縦方向Vに沿って間隔をあけて並ぶものとしてよい。そこで、スライドレール141は、カセット150がカセット支持部140上でトレイ130に関して移動可能となるようにカセット150を支持し得る。カセット支持部140は、また、第1のラッチ142と第2のラッチ144とを有する。第1のラッチ142および第2のラッチ144は、各々、横断方向Tに沿ってカセット支持部140の対向するそれぞれの端部のところに位置決めされる。そこで、たとえば、カセット支持部140は、横断方向Tに沿って前部146と後部148との間に延在し得る。第1のラッチ142は、カセット支持部140の前部146のところに位置決めされてよく、第2のラッチ144は、カセット支持部140の後部148のところに位置決めされてよい。スライドレール141は、第1のラッチ142と第2のラッチ144との間に、たとえば、横断方向Tに沿って、位置決めされ得る。第1のラッチ142および第2のラッチ144は、トレイ130の前部180または後部182からカセット150をカセット装着ベイ160内に挿入することを可能にするように構成され得る。
【００３１】
例示的な実施形態において、第1のラッチ142および第2のラッチ144は、図11に示されているのと同じまたは類似の方式で構築され得る。そこで、第1のラッチ142は、第2のラッチ144について以下で提示される説明に従って構築され得る。図11に示されているように、第2のラッチ144は、アーム162が弾性的に変形可能であり、キャッチ164がアーム162上で横方向Lに沿って移動可能となるように片持ち梁で支えられる。キャッチ164は、横断方向Tに沿って面と向かい合う傾斜面166と係止面168とを備え得る。
【００３２】
第1のラッチ142および第2のラッチ144の傾斜面166は、カセット装着ベイ160内にカセット150を挿入できるように第1のラッチ142および第2のラッチ144を移動することを補助し得る。第1のラッチ142および第2のラッチ144の係止面168は、カセット装着ベイ160内にカセット150を保持することを補助し得る。そこで、カセット150がカセット装着ベイ160内に位置決めされたときに、第1のラッチ142の係止面168はカセット150の前部と係合し得、第2のラッチ144の係止面168はカセット150の後部と係合し得る。そのような方式で、カセット150は、カセット150がカセット装着ベイ160内に位置決めされたときに横断方向Tに沿って第1のラッチ142および第2のラッチ144の係止面168の間に位置決めされ得、第1のラッチ142および第2のラッチ144は、カセット装着ベイ160からのカセット150の移動を阻止し得る。
【００３３】
ユーザがカセット150をトレイ130の前部180からカセット装着ベイ160内に挿入したときに、カセット150は、最初に、第1のラッチ142の傾斜面166に衝撃を与えることができ、カセット150は、第1のラッチ142のキャッチ164が第1のラッチ142のアーム162上で横方向Lに沿って外向きに移動するように第1のラッチ142の傾斜面166に沿って摺動し得る。次いで、カセット150は、第1のラッチ142のキャッチ164が第1のラッチ142のアーム162上の横方向Lに沿って内向きに移動する位置でカセット150がカセット装着ベイ160内にすっぽり収まるまでスライドレール141の間を摺動し得る。第1のラッチ142の係止面168は、カセット150がカセット装着ベイ160内にあるときにカセット150に面し、係合し得る。
【００３４】
同様に、ユーザがカセット150をトレイ130の後部182からカセット装着ベイ160内に挿入したときに、カセット150は、最初に、第2のラッチ144の傾斜面166に衝撃を与えることができ、カセット150は、第2のラッチ144のキャッチ164が第2のラッチ144のアーム162上で横方向Lに沿って外向きに移動するように第2のラッチ144の傾斜面166に沿って摺動し得る。次いで、カセット150は、第2のラッチ144のキャッチ164が第2のラッチ144のアーム162上の横方向Lに沿って内向きに移動する位置でカセット150がカセット装着ベイ160内にすっぽり収まるまでスライドレール141の間を摺動し得る。第2のラッチ144の係止面168は、カセット150がカセット装着ベイ160内にあるときにカセット150に面し、係合し得る。
【００３５】
カセット150は、たとえば、第1のラッチ142および第2のラッチ144を外すことによって、カセット装着ベイ160からカセット150を取り外すことを可能にするための特徴部を備える。図8から図10に示されているように、カセット150は、リリーススライド159を備える。たとえば、カセット150のカセット本体部151は、横方向Lに沿って第1の側部152と第2の側部154との間に延在し得る。カセット本体部151は、また、横断方向Tに沿って前部153と後部155との間に延在し得る。カセット本体部151は、カセット本体部151の第1の側部152のところにリリーススライドスロット156を画成し得る。リリーススライドスロット156は、横断方向Tに沿ってカセット本体部151の前部153と後部155との間に縦方向に延在し得る。リリーススライド159は、リリーススライドスロット156内のニュートラル(または係止)位置とリリース位置との間で移動可能である。
【００３６】
リリーススライド159は、第1のランプ157と第2のランプ158とを有する。第1のランプ157および第2のランプ158は、各々、横断方向Tに沿ってリリーススライド159の対向するそれぞれの端部のところに位置決めされる。たとえば、図10に示されているように、リリーススライド159は、横断方向Tに沿って第1の端部178と第2の端部179との間に延在し得る。第1のランプ157は、リリーススライド159の第1の端部178の近くに位置決めされ得、第2のランプ158は、リリーススライド159の第2の端部179の近くに位置決めされ得る。
【００３７】
第1のランプ157および第2のランプ158は、カセット装着ベイ160からカセット150を取り外すことができるように第1のラッチ142および第2のラッチ144を作動させることを補助し得る。図12に示されているように、第1のラッチ142および第2のラッチ144は、カセット150がカセット装着ベイ160内に位置決めされ、リリーススライド159がニュートラル位置にあるときにカセット150と係合する。対照的に、ユーザがリリーススライド159をリリース位置にシフトしたときに、第1のランプ157は、第1のラッチ142に当たって摺動し、カセット150から第1のラッチ142を外し、および/または第2のランプ158は、第2のラッチ144に当たって摺動し、カセット150から第2のラッチ144を外すものとしてよい。特に、第1のランプ157および第2のランプ158の傾斜面は、第1のラッチ142および第2のラッチ144のキャッチ164がカセット150から横方向Lに沿って外向きに移動するように第1のラッチ142および第2のラッチ144のキャッチ164に当たって摺動し、持ち上げるものとしてよい。そこで、ユーザは、リリーススライド159をニュートラル位置からリリース位置に摺動させて、第1のラッチ142および第2のラッチ144をカセット150から同時に外し、トレイ130の前部180またはトレイ130の後部182のいずれかでカセット装着ベイ160からカセット150を取り外すことを可能にし得る。
【００３８】
図9および図10に示されているように、カセット本体部151は、カセット本体部151の第1の側部152のところに第1のランプスロット190と第2のランプスロット192とを画成する。第1のランプスロット190は、カセット本体部151の前部153のところに位置決めされてよく、第2のランプスロット192は、カセット本体部151の後部155のところに位置決めされてよい。第1のランプ157は、第1のランプスロット190内に、また第1のランプスロット190から摺動可能である。リリーススライド159がニュートラル位置にあるときに、第1のランプ157は、第1のランプスロット190内に、たとえば、第1のランプ157が第1のラッチ142と係合しないように配設される。対照的に、リリーススライド159が、ニュートラル位置からリリース位置にシフトするときに、上で説明されている方式で、第1のランプ157は第1のランプスロット190から摺動し、第1のラッチ142と係合する。第2のランプ158は、第2のランプスロット192内に、また第2のランプスロット192から摺動可能である。リリーススライド159がニュートラル位置にあるときに、第2のランプ158は、第2のランプスロット192の外側に、たとえば、第2のランプ158が第2のラッチ144と係合しないように配設される。対照的に、第2のランプ158の少なくとも一部は、リリーススライド159がリリース位置にあるときに第2のランプスロット192内に受け入れられる。リリーススライド159が、ニュートラル位置からリリース位置にシフトするときに、上で説明されている方式で、第2のランプ158は第2のランプスロット192内に摺動し、第2のラッチ144と係合する。
【００３９】
リリーススライド159は、第1のハンドル184と第2のハンドル186とを有するものとしてよい。第1のハンドル184はリリーススライド159の第1の端部178のところに位置決めされ、第2のハンドル186はリリーススライド159の第2の端部179のところに位置決めされる。リリーススライド159は、第1のハンドル184および第2のハンドル186により、係止位置とリリース位置との間で手動でシフト可能である。そのため、ユーザは、第1のハンドル184によりトレイ130の前部180から、および第2のハンドル186によりトレイ130の後部182から、係止位置とリリース位置との間でリリーススライド159をシフトするものとしてよい。図8から図10に示されている例示的な実施形態において、第1のハンドル184はプルハンドルであってよく、第2のハンドル186はプッシュハンドルであってよい。代替的な例示的実施形態において、リリーススライド159は、第1のランプ157および第2のランプ158の位置が切り替わるようにカセット150上で反転され得る。そのような例示的な実施形態において、第1のハンドル184はプッシュハンドルであってよく、第2のハンドル186はプルハンドルであってよい。
【００４０】
上記の説明からわかるように、カセット支持部140はカセット150と連携し、カセット支持部140に関して横断方向Tに沿ってカセット150の摺動を可能にし得る。一般的に、カセット摺動機構は、次のように機能する。カセット150は、カセット支持部140のスライドレール141の間に受け入れられる一体型スライドをカセット150の両側に有する。係止機構を備えるカセット150の側部は、リリースストライド159を収納するためサイズが大きくてもよい。カセット支持部140は、横断方向Tに沿って(たとえば、前から後へ、および後から前へ)カセット150の直線的平行移動を可能にするだけであってよい。
【００４１】
図16に示されているように、リリーススライド159は、たとえばリリーススライド159の中間部分の近くに、突起部188を有する。突起部188は、リリーススライドスロット156内でカセット本体部151上の1つまたは複数のリップ部(図示せず)と係合可能である。たとえば、突起部188は、突起部188とカセット本体部151上の1つまたは複数のリップ部との間の干渉がニュートラル位置とリリース位置との間でリリーススライド159がうっかりシフトするのを妨げるようにカセット本体部151上の1つまたは複数のリップ部と接触し得る。そこで、突起部188は、リリーススライド159をニュートラル位置およびリリース位置のうちの現在の位置に保持することを補助し得る。
【００４２】
本発明の主題は、事前終端カセットモジュールのための知られている高密度光ファイバパッチパネルに勝る多数の利点を有する。たとえば、カセット150は、前および後の両方の取り付け/リリースシナリオに対して片手操作で取り付け、取り外すものとしてよい。それに加えて、粘着テープおよび/または熱かしめを使用してトレイ支持部120および/またはカセット支持部140を装着することで、従来の締め具が不要になり、空間と組み立て時間の節約となる。
【００４３】
本明細書では、いくつかの例を使用して、最良の態様を含む本発明を開示し、これにより、当業者は、デバイスまたはシステムを製作し、使用すること、および組み込まれている方法を実行することも含めて本発明を実施することができる。本発明の特許可能な範囲は、請求項によって定められ、当業者であれば思い付く他の例を含むものとしてよい。このような他の例は、これらの例が請求項の文言と異ならない構造要素を含む場合、またはこれらの例が請求項の文言との違いがわずかである同等の構造要素を含む場合に、請求項の範囲内にあることが意図される。
【符号の説明】
【００４４】
100  パッチパネル
110  エンクロージャ
120  トレイ支持部
121  底部スライドレール
122  スライドレール
124  第1のデテント
125  トレイリリースレバー
126  第2のデテント
127  係止タブ
128  トレイ支持基部
130  トレイ
131  トレイ本体部
132  スライド
133  装着タブ
134  デテントフォロワー
135  締め具
137  第1の側部
138  トレイ係止スロット
139  第2の側部
139  傾斜面
140  カセット支持部
141  スライドレール
142  第1のラッチ
144  第2のラッチ
146  前部
148  後部
150  カセット
151  カセット本体部
152  第1の側部
153  前部
154  第2の側部
155  後部
156  リリーススライドスロット
157  第1のランプ
158  第2のランプ
159  リリーススライド
160  カセット装着ベイ
162  アーム
164  キャッチ
166  傾斜面
168  係止面
170  支持面
171  伸長位置ランプ
172  傾斜面
174  頂部
176  底部
178  第1の端部
179  第2の端部
180  前部
182  後部
184  第1のハンドル
186  第2のハンドル
188  突起部
190  第1のランプスロット
192  第2のランプスロット
【図１】
2020526032.tif 000003
【図２】
2020526032.tif 000004
【図３】
2020526032.tif 000005
【図４】
2020526032.tif 000006
【図５】
2020526032.tif 000007
【図６】
2020526032.tif 000008
【図７】
2020526032.tif 000009
【図８】
2020526032.tif 000010
【図９】
2020526032.tif 000011
【図１０】
2020526032.tif 000012
【図１１】
2020526032.tif 000013
【図１２】
2020526032.tif 000014
【図１３】
2020526032.tif 000015
【図１４】
2020526032.tif 000016
【図１５】
2020526032.tif 000017
【図１６】
2020526032.tif 000018
【国際調査報告】
2020526032.tif 000019
2020526032.tif 000020
2020526032.tif 000021
2020526032.tif 000022
2020526032.tif 000023